(57)【特許請求の範囲】
【請求項１】
既設の浴室から浴槽を撤去した後に、既設の浴室の下部に新規の床パンを設置してこの新規の床パンを既設の壁に固定すると共に、既設の浴室の上部に新規の天井パンを設置してこの新規の天井パンを既設の壁に固定する浴室の改装方法であって、上記既設の壁に固定される新規の床パンにおける浴槽側床パンに水平段部を設けると共にこの水平段部に浴槽側床パンをレベル調整可能に固定するアジャスターボルトを配設したことを特徴とする浴室の改装方法。
【請求項２】
既設の壁の表面に化粧用シートを貼着することを特徴とする請求項１記載の浴室の改装方法。
【発明の詳細な説明】
【０００１】
【発明の属する技術分野】
本発明は、浴室の改装方法に関するものである。
【０００２】
【従来の技術】
従来、アパート、マンションなどの集合住宅において、在来工法の浴室を新しく改装する場合にあっては、浴室内の例えば防水モルタル、タイル貼り等の既設の床仕上げ材や、タイルなどの既設の壁仕上げ材を毀して、その後、新たに床、壁等を構築する方法とか、既設の床や壁はそのままにして、浴室の内側に別のユニットバスを組み立てる方法が採用されている。
【０００３】
【発明が解決しようとする課題】
ところが、前記のようにモルタルやタイル等の床仕上げ材や壁仕上げ材を毀す方法では、改装工事が大掛かりとなり、工期が長くなるうえに、コストが高くつき、特に集合住宅の場合には工事の騒音、粉塵対策が必要になるという問題があった。一方、既設の浴室の壁に内接してユニットバスを新たに組みたてる方法では、部品数が増加するうえに、ユニットバス内のスペースが、ユニットバスの壁の厚さ分やユニットバスの壁と既設の壁との隙間分だけ、改装前の浴室広さよりも狭くなるという問題があった。
【０００４】
本発明は、上記の従来例の問題点に鑑みて発明したものであって、その目的とするところは、部品数の削減による低コスト化、施工の簡易化及び工期の短縮化を図ることができると共に、集合住宅であっても工事の騒音、粉塵対策が不要となり、さらに改装前の浴室広さと同じ広さを確保することができ、スペースが狭まるのを防止できるようにした浴室
の改装方法を提供するにある。
【０００５】
【課題を解決するための手段】
上記課題を解決するために請求項１記載の発明にあっては、既設の浴室１から浴槽を撤去した後に、既設の浴室１の下部に新規の床パン３を設置してこの新規の床パン３を既設の壁５に固定すると共に、既設の浴室１の上部に新規の天井パン６を設置してこの新規の天井パン６を既設の壁５に固定する浴室の改装方法であって、上記既設の壁５に固定される新規の床パン３における浴槽側床パン１１に水平段部１６を設けると共にこの水平段部１６に浴槽側床パン１１をレベル調整可能に固定するアジャスターボルト１８を配設したことを特徴としており、このように構成することで、モルタル、タイルなどの既設の床仕上げ材や壁仕上げ材を毀す必要がないために、集合住宅であっても工事の騒音、粉塵対策が不要となり、しかも、既設の壁５を残すことで、浴室１のスペースＳを狭めることなく、改装前の浴室広さと同じ広さを確保できるようになる。また、アジャスターボルト１８を用いて新規の浴槽側床パン１１をレベル調整可能に固定でき、既設の床仕上げ材４ａの上にそのまま新規の床パン３を水平に安定良く据え付けることが容易となる。さらにレベル調整後には、アジャスターボルト１６は新規の浴槽側床パン１１の支柱としても機能する。
【０００６】
また上記既設の壁５の表面に化粧用シート７を貼着するのが好ましく、この場合、既設の壁５が汚れている場合でも壁のメンテナンスを行う必要がなく、一層の省施工化が図られる。
【０００７】
【発明の実施の形態】
以下、本発明を添付図面に示す実施形態に基づいて説明する。
【０００８】
本実施形態では集合住宅の浴室１の改装方法を例示する。ここでは、図１に示す既設の壁５を残して新規の床パン３と新規の天井パン６を取り付けるものであり、先ず、浴室１内から浴槽を撤去した後に、既設の浴室１の下部に新規の床パン３を設置してこの新規の床パン３を既設の壁５に固定すると共に、既設の浴室１の上部に新規の天井パン６を設置してこの新規の天井パン６を既設の壁５に固定するものである。
【０００９】
既設の床４は、建物躯体９の床を構成するコンクリート製の床スラブ８の上にモルタル製の床仕上げ材４ａが施工されている。ここでは、洗い場側Ｂの床仕上げ材４ａ１の表面は例えばタイル２５により仕上げがされている。この洗い場側Ｂの床仕上げ材４ａ１の表面は浴槽側Ａの床仕上げ材４ａ２の表面よりも一段高く形成されていると共に、洗い場側Ｂの床仕上げ材４ａ１のコーナー部には、浴室内に配管される給湯管、排水管等の配管取り出し部１３（図５）が設けられている。
【００１０】
上記新規の床パン３は、矩形状の洗い場側床パン１０と矩形状の浴槽側床パン１１とを組み合わせた２分割床パンで構成されている。図１、図６（ａ）に示すように、洗い場側床パン１０の一辺１０ａには接続部６０が設けられ、これと対向する浴槽側床パン１１の一辺１１ａには接続部６０に接続される被接続部６１が設けられており、接続部６０と被接続部６１とを水密的に嵌合接続することによって、洗い場側床パン１０と浴槽側床パン１１とが一体化された防水構造の新規の床パン３が構成されている。なお、新規の床パン３は本例のような２分割床パンに限定されず、例えば１枚の大型床材であってもよいものである。
【００１１】
上記新規の洗い場側床パン１０の他の三辺１０ｂには、図２に示すように、立ち上り部１４がそれぞれ設けられている。各立ち上り部１４の上端から外側に向けて水平段部１６ａが突設され、水平段部１６ａの外端から上方に向けて突片１７ａが突設され、この突片１７ａと既設の壁５との隙間にコーキング剤５０ａが充填されている。この洗い場側床パン１０は、上記タイル仕上げされた洗い場側Ｂの一段高い床仕上げ材４ａ１上に直接支持されている。本例では、洗い場側床パン１０の下面の複数箇所にモルタル６２が注入されており、所定のレベルに洗い場側床パン１０を調整してモルタル６２により固着するようにしている。
【００１２】
一方、新規の浴槽側床パン１１の他の３辺１１ｂには、図３（ａ）に示すように、立ち上り部１５がそれぞれ設けられている。各立ち上り部１５の上端から外側に向けて水平段
部１６が突設され、水平段部１６の外端から上方に向けて突片１７が突設され、この突片１７と既設の壁５との隙間にコーキング剤５０が充填されている。
【００１３】
この浴槽側床パン１１の各立ち上り部１５は、Ｌ形固定金具２０を用いて既設の壁５に対して固定されている。Ｌ形固定金具２０は既設の壁５に固定される垂直片２２と、浴槽側床パン１１に固定される水平片２３とからなる。浴槽側床パン１１の固定は、先ず既設の壁５にＬ形固定金具２０の垂直片２２を固定具２４により固定した後に、Ｌ形固定金具２０の水平片２３と浴槽側床パン１１の水平段部１６とを別の固定具（図示せず）を用いて固定することにより行われる。
【００１４】
さらに浴槽側床パン１１の四隅には、水平段部１６を上下に貫通するアジャスターボルト１８がそれぞれ配設されている。各アジャスターボルト１８は、図３（ａ）に示すように、浴槽側床パン１１の水平段部１６の下面に固着したナット１９に螺合しており、ナット１９よりも下方に突出したアジャスターボルト１８の下端部１８ｂが浴槽側Ａの床仕上げ材４ａ２上に当接しており、水平段部１６よりも上方に突出したアジャスターボルト１８の上端部１８ａを回転操作することで、既設の床仕上げ材４ａ２に対して浴槽側床パン１１のレベル調整ができるようにしてある。このアジャスターボルト１８は、レベル調整後には、新規の浴槽側床パン１１の四隅を既設の床仕上げ材４ａ２に対して支持する支柱としても機能する。また新規の浴槽側床パン１１の排水管は、既設の床に設けられている排水口に接続されるようになっている。
【００１５】
このようにアジャスターボルト１８及びＬ形固定金具２０を用いて浴槽側床パン１１を固定する理由は、浴槽側Ａの床仕上げ材４ａ２は洗い場Ｂの床仕上げ材４ａ１よりも段落ちしているため、洗い場側床パン１０のようなモルタル６０の注入による固着方法を採用できないためである。
【００１６】
なお、新規の浴槽側床パン１１の固定方法として、上記アジャスターボルト１８と上記Ｌ形固定金具２０とを用いた場合を例示したが、いずれか一方のみを用いて固定することも可能である。またアジャスターボルト１８とＬ形固定金具２０とを併用する場合は、両者を浴槽側床パン１１の水平段部１６の長手方向（図３の紙面に対して垂直方向）にずらして配設すればよい。
【００１７】
一方、上記既設の壁５の表面は例えばタイル２６により仕上げがされており、改装後も浴室の壁としてそのまま使用される場合と、化粧用シート７によって覆い隠される場合とがある。化粧用シート７を用いる場合は、化粧用シート７は、既設の壁５のタイル２６の上から接着剤で接着されるものであり、耐湿性に優れたものであればその材質は特に限定されない。
【００１８】
また、新規の天井パン６は、図１に示すように、建物躯体９の天井部４０との間に所定のスペースＷをあけて配設されている。スペースＷには階上の浴室１の排水管４１が収納されており、新規の天井パン６によって排水管４１を隠すことができるようにしてある。新規の天井パン６の四辺には、図４に示すように、断面Ｌ形の段落ち部３０がそれぞれ設けられており、各段落ち部３０の外端部から更に下方に向かって突片３１が突設され、この突片３１と既設の壁５との隙間にコーキング剤４１が充填されている。
【００１９】
上記新規の天井パン６の各段落ち部３０は、Ｌ形固定金具２１を用いて既設の壁５に対して固定されている。Ｌ形固定金具２１は、既設の壁５に固定される垂直片３２と、新規の天井パン６に固定される水平片３２とからなる。新規の天井パン６の固定は、先ず既設の壁５にＬ形固定金具２１の垂直片３２を固定具３５により固定した後に、Ｌ形固定金具２１の水平片３３と段落ち部３０とを別の固着具３７を用いて固定することにより行われる。
【００２０】
次に、浴室１を改装する手順の一例を説明する。先ず、図５（ａ）に示すように、既設の浴室１から浴槽のみを撤去する。既設の床４、壁５及び天井部４０（図１）はそのまま残しておく。その後、図５（ｂ）に示すように、洗い場側の床仕上げ材４ａ２の上に新規の洗い場側床パン１０を据え付け、洗い場側床パン１０の下面の複数箇所にモルタル６２（図１）を注入して２４時間程度養生する。その後、図６（ａ）に示すように、浴槽側の床仕上げ材４ａ２の上に新規の浴槽側床パン１１を配置して、浴槽側床パン１１の一辺１
１の接続部６０を洗い場側床パン１０の一辺１１の被接続部６１に防水接続する。さらに浴槽側床パン１１の四隅に配置されているアジャスターボルト１８（図４）の上端部１８を浴槽側床パン１１の上から回転操作して浴槽側床パン１１のレベル調整を行った後に、Ｌ形固定金具２０（図３）を介して浴槽側床パン１１を既設の壁５に固定し、その後、浴槽側床パン１１と既設の壁５との隙間、及び洗い場側床パン１０と既設の壁５との隙間に、それぞれコーキング剤５０、５０をそれぞれ充填する。一方、図６（ｂ）に示すように、既設の浴室１の上部に新規の天井パン６を配置し、天井パン６の四辺の段落ち部３０をＬ形固定金具２１を介して既設の壁５に固定し、最後に、既設の壁５と新規の天井パン６との隙間に、コーキング剤４１（図４）を充填する。
【００２１】
このとき、既設の壁５をそのまま使う場合は、タイル２６の表面を掃除したり、一部補修を行う。また、既設の壁５をそのまま使わないときは、タイル２６の表面に化粧用シート７を貼着して、タイル２６全体を覆い隠す。この化粧用シート７の貼着作業は、新規の床パン３及び新規の天井パン６の施工前或いは施工後のいずれであってもよい。最後に図６（ｂ）のように浴槽側床パン１１上に浴槽２を設置して改装工事が完了する。
【００２２】
しかして、既設の壁５を残したままで、浴室１をリニューアルできるので、浴室１のスペースＳを狭めることなく、改装前の浴室広さと同じ広さを確保することができる。また、防水モルタルやタイルなどの既設の床仕上げ材４ａを毀す必要がないために、集合住宅であっても工事の騒音、粉塵対策が不要となるうえに、浴槽側床パン１１の四隅をアジャスターボルト１８によってレベル調整自在とすることで、既設の床仕上げ材４ａの上にそのまま新規の床パン３を水平に安定良く据え付けることが容易となる。また本例では、新規の床パン３を、２分割床パンで構成したので、床パン３の現場への搬送が容易となり、また浴槽や洗い場の広さの変化にも容易に対応できるようになる。
【００２３】
また、既設の壁５をそのまま使用できるので、施工の簡易化、及び工期の短縮化を図ることができると共に、従来のユニットバスを組み立てる場合と比較して、部品数を削減でき、コストを安くできる。さらに必要に応じて化粧用シート７を貼着することで、壁の改装に手間がかからず、またこの化粧用シート７の色彩や模様等を新規の床パン３や新規の天井パン６の色彩や模様等に合わせることで、デザインの統一を図ることができ、外観を良好にすることができる。
【００２４】
さらに、新規の床パン３と既設の壁５との隙間、及び、新規の天井パン６と既設の壁５との隙間をそれぞれコーキング処理することによって、防水性に優れ確実で信頼性の高い新規な浴室１が得られるようになる。なお、浴室１内に設置されるカウンター等によって、上記隙間が覆われる場合にあっては、コーキング処理は省略可能である。
【００２５】
【発明の効果】
上述のように請求項１記載の発明にあっては、既設の浴室から浴槽を撤去した後に、既設の浴室の下部に新規の床パンを設置してこの新規の床パンを既設の壁に固定すると共に、既設の浴室の上部に新規の天井パンを設置してこの新規の天井パンを既設の壁に固定する浴室の改装方法であって、上記既設の壁に固定される新規の床パンにおける浴槽側床パンに水平段部を設けると共にこの水平段部に浴槽側床パンをレベル調整可能に固定するアジャスターボルトを配設したので、工事に際しては浴槽を撤去するだけでよく、既設の壁をそのまま引き続いて使用できるので、部材の削減による施工の簡易化及び工期の短縮化を図ることができ、また既設の床仕上げ材や壁仕上げ材を毀す必要がないため、集合住宅であっても工事の騒音、粉塵対策が不要となり、そのうえ従来のように浴室内でユニットバスを組み立てる場合と比較して、部品数を削減してコストダウンを図ることができる。さらに既設の壁を残すことで、浴室のスペースを狭めることがないので、改装前の浴室広さと同じ広さを確保できるものである。また、アジャスターボルトを用いて新規の浴槽側床パンをレベル調整可能に固定でき、既設の床仕上げ材の上にそのまま新規の床パンを水平に安定良く据え付けることが容易となる。さらにレベル調整後には、アジャスターボルトは新規の浴槽側床パンの支柱としても機能する。
【００２６】
また、請求項２記載の発明は、請求項１記載の効果に加えて、既設の壁の表面に化粧用シートを貼着するので、既設の壁が汚れている場合でも壁のメンテナンスを行う必要がな
く、一層の省施工化を図ることができると共に、化粧用シートの色彩や模様等を新規の床パンや新規の天井パンの色彩や模様等に合わせることで、デザインの統一化を図ることができ、外観を良好にすることができる。
【図面の簡単な説明】
【図１】  本発明の実施形態の一例を示す断面図である。
【図２】  同上の洗い場側床パンの固定例を示す断面図である。
【図３】  （ａ）は同上の浴槽側床パンの固定例を示す断面図、（ｂ）は他の固定例を示す断面図である。
【図４】  同上の新規の天井パンの固定例を示す断面図である。
【図５】  （ａ）（ｂ）は同上の浴槽を撤去した後に洗い場側の床仕上げ材上に洗い場側床パンを設置する場合の工程図である。
【図６】  （ａ）は同上の床仕上げ材に浴槽側の床仕上げ材上に浴槽側床パンを設置する場合の工程図、（ｂ）は新規の天井パン及び浴槽を設置する場合の工程図である。
【符号の説明】
１  既設の浴室
２  浴槽
３  新規の床パン
５  既設の壁
６  新規の天井パン
７  化粧用シート
１１  浴槽側床パン
１６  水平段部
１８  アジャスターボルト
【図１】
0003714109.tif 000002
【図２】
0003714109.tif 000003
【図３】
0003714109.tif 000004
【図４】
0003714109.tif 000005
【図５】
0003714109.tif 000006
【図６】
0003714109.tif 000007